(57)【要約】      （修正有）【課題】ガラス繊維があるものを使用しても、ガラス繊維粉末が飛散しないようにして整流性と、負荷安定性を阻害させないようにする。【解決手段】回転中心に軸挿通孔が設けられ、第１の面で前記軸挿通孔の半径方向外方に複数個の整流子セグメントからなる整流子部が形成されたガラスクロスエポキシ印刷配線板１と、複数個の空心電機子コイル２と、半径方向に偏在して配された偏心ウエイト３と、これらが一体成形された樹脂５とが備えられ、前記軸挿通孔の位置に含油軸受４が配され、前記印刷配線板はプレス成形され、内外径の切断面と少なくともスルーホール孔以外の切断孔がガラス短繊維が５％〜１５％で構成された樹脂で覆われるようにした。【選択図】  図１
2006333560.tif 000002
【特許請求の範囲】
【請求項１】
回転中心に軸挿通孔が設けられると共に、その半径方向外方に偏心して空心電機子コイル載置エリアがあり、第１の面で前記軸挿通孔の半径方向外方に複数個の整流子セグメントからなる整流子部が形成され、さらに端末結線パターンが形成された印刷配線板と、この印刷配線板の前記第２の面の空心電機子コイル載置エリアに配された複数個の空心電機子コイルと、前記回転中心から半径方向に偏在するように配された偏心ウエイトと、これらが一体成形された樹脂とが備えられ、前記軸挿通孔の位置に含油軸受が配され、前記印刷配線板は無機質を有するものでプレス成形され、内外径の切断面と少なくともスルーホール孔以外の切断孔が前記樹脂で覆われるように構成したモールド型偏心ロータ。
【請求項２】
前記印刷配線板はガラスクロスエポキシ基板からなり、前記樹脂はガラス充てん材が５％〜１５％で構成された請求項１に記載のモールド型偏心ロータ。
【請求項３】
請求項１又は２に記載のモールド型偏心ロータと、このモールド型偏心ロータを格納するケースとブラケットとからなるハウジングと、該ハウジングの少なくとも一方に固着され、前記ロータを含油軸受を介して回転自在に支承する軸と、該軸の周囲に配されたリング状マグネットと、該マグネットの内方で前記ブラケットにブラシベースを介して配された一対のブラシとからなる軸方向空隙型コアレス振動モータ。  
【発明の詳細な説明】
【技術分野】
【０００１】
この発明は、移動体通信装置の無音報知手段に用いて好適なもので、モールド型偏心ロータと同ロータを備えた軸方向空隙型コアレス振動モータに関する。
【背景技術】
【０００２】
軸方向空隙型コアレスモータは、薄型化のため、平板なコミュテータと軸方向摺接型ブラシからなる整流装置を備えたものが一般的である。
そして、このような偏心ロータは、組立の容易性から、印刷配線板からなる平板コミュテータに軸受と、空心電機子コイルと、偏心部材などを含めて樹脂で一体成形されるものが一般的である。
【０００３】
このような平板コミュテータは、製作上の容易性から印刷配線板でコミュテータセグメントを貴金属メッキされたものが賞用される。
この場合、強度と薄型化のため、ガラスクロスエポキシ基板が用いられるが、切断面にガラス繊維のくずが発生しやすい。
従って、特許文献１に示すように外周の切断面とモールド外周をそろえたものでは、切断面がむき出しとなって発生したガラス繊維くずが、コミュテータセグメント面に移動して整流を阻害させたり、軸受の内部に入り込んで負荷変動を引き起こす問題がある。
また、使用する樹脂も耐熱性と強度確保及び成形性からガラス短繊維が３０％ほど充填させたポリブチレンテレフタレート樹脂が賞用されるが、表面にガラス繊維が浮き出て、この繊維くずによる上記の問題が生ずる。
振動モータに使用する偏心ロータでは、ロータ自体が振動するので、特にガラス繊維くずが移動しやすい。
【特許文献１】アメリカ合衆国特許６，６２１，１８８号
【発明の開示】
【発明が解決しようとする課題】
【０００４】
そこで、この発明は、印刷配線板からなる平板コミュテータ、モールド樹脂などガラス繊維があるものを使用しても、ガラス繊維粉末が飛散しないようにして整流性と、負荷安定性を阻害させないようにした偏心ロータを提供するものである。
【課題を解決するための手段】
【０００５】
上記課題を解決するには、請求項１に示すように回転中心に軸挿通孔が設けられると共に、その半径方向外方に偏心して空心電機子コイル載置エリアがあり、第１の面で前記軸挿通孔の半径方向外方に複数個の整流子セグメントからなる整流子部が形成され、さらに端末結線パターンが形成された印刷配線板と、この印刷配線板の前記第２の面の空心電機子コイル載置エリアに配された複数個の空心電機子コイルと、前記回転中心から半径方向に偏在するように配された偏心ウエイトと、これらが一体成形された樹脂とが備えられ、前記軸挿通孔の位置に含油軸受が配され、前記印刷配線板はガラス質を有するものでプレス成形され、内外径の切断面と少なくともスルーホール孔以外の切断孔が前記樹脂で覆われるように構成したもので達成できる。
具体的には請求項２に示すように前記印刷配線板はガラスクロスエポキシ基板からなり、前記樹脂はガラス充てん材が５％〜１５％で構成されたものがよい。  
このような偏心ロータは、請求項３に示すように請求項１又は２に記載のモールド型偏心ロータと、このモールド型偏心ロータを格納するケースとブラケットとからなるハウジングと、該ハウジングの少なくとも一方に固着され、前記ロータを含油軸受を介して回転自在に支承する軸と、該軸の周囲に配されたリング状マグネットと、該マグネットの内方で前記ブラケットにブラシベースを介して配された一対のブラシとからなるもので達成できる。
【発明の効果】
【０００６】
請求項１に示す発明では、印刷配線板からなる平板コミュテータでも、切断面が樹脂で覆われているので、ガラス繊維などの充填物のくずが飛散しないので、整流性が阻害するおそれがなく、負荷変動などが起きなくなる。
請求項２に示す発明では、樹脂のガラス繊維が表面に浮き出る量が少なくなって飛散しなくなり、曲げ強度も粘り気が出て落下などの耐衝撃性がよいものとなる。
請求項３に示す発明では、整流性と負荷変動性がよく落下などの耐衝撃性のよい薄型ななものが得られる。
【発明を実施するための最良の形態】
【０００７】
回転中心に軸挿通孔が設けられると共に、その半径方向外方に偏心して空心電機子コイル載置エリアがあり、第１の面で前記軸挿通孔の半径方向外方に複数個の整流子セグメントからなる整流子部が形成され、さらに端末結線パターンが形成されたガラスクロスエポキシ印刷配線板と、この印刷配線板の前記第２の面の空心電機子コイル載置エリアに配された複数個の空心電機子コイルと、前記回転中心から半径方向に偏在するように配された偏心ウエイトと、これらが一体成形された樹脂とが備えられ、前記軸挿通孔の位置に含油軸受が配され、前記印刷配線板はプレス成形され、内外径の切断面と少なくともスルーホール孔以外の切断孔が前記樹脂で覆われるように構成し、該樹脂もガラス充てん材が５％〜１５％で構成された。
図１はこの発明の軸方向空隙型コアレス振動モータの断面図である。（実施例１）
図２は同モータのロータ部分の平面図である。
【実施例１】
【０００８】
図１、図２において、この発明の軸方向空隙型コアレス振動モータに搭載される偏心ロータＲは、回転中心に軸挿通孔１ａが設けられると共に、その半径方向外方の第１の面１ｂに偏心して空心電機子コイル載置エリア１ｃがあり、第２の面１ｄで前記軸挿通孔１ａの半径方向外方に６個の整流子セグメントＳ１〜Ｓ６からなる整流子部Ｓが形成され、さらに端末結線パターン１ｅが形成された薄手の印刷配線板１と、この印刷配線板１の前記第１の面の空心電機子コイル載置エリア１ｃに配された２個の空心電機子コイル２と、前記回転中心から半径方向に偏在するように配された偏心ウエイト３と、前記軸挿通孔の位置に含油軸受４が配され、これらが一体成形された樹脂５とが備えられたもので、前記印刷配線板はガラスクロスエポキシ基板でプレス切断で成形され、外周の切断面１ｆと少なくともスルーホール孔以外の樹脂保持用切断孔１ｇが前記樹脂で覆われるように構成したものである。
このようにすると、ガラス基材の切断くずが樹脂内に取り込められて、飛散を防ぐことができる。
一方、ステータ側は、ハウジングの一方を構成するブラケット６の中央に軸７が外方からレーザ溶接で固着される。
該軸７から半径方向に少し離れた位置に軸方向空隙型リング状マグネットＭが載置される。該マグネットＭの内径部には、フレキシブル印刷配線板からなるブラシベース８が載置され、一対のブラシ９、９が半田植設されている。該ブラシベース８の一部は前記マグネットＭの下方を横断して側方に延設し、給電電極部８ａとなっている。このブラシベース８の厚み部分がモータ全体の姿勢を犠牲にしないように、マグネットＭの横断部分のブラケット６に孔６ａが形成され、ブラシベースの一部はこの孔６ａを通って側方に導出されている。
前記偏心ロータＲは、軸７に回転自在に装着され、ハウジンクＨの他方を構成するケース１０で覆われるようにして格納される。ここでも軸７の先端は、外方からレーザ溶接で固着される。該ケース１０の開口部には、前記ブラケット６がやはり数カ所のレーザ溶接で組み付けられる。
このようにすると、全体がモノコック構造となり、薄手の部材を使用しても十分な強度が確保できる。                                                                    
【０００９】
ここでは、樹脂５は、ガラス短繊維が７．５％程度含有したものにすると、耐熱性と柔軟性が確保され、落下などの衝撃性も十分となり、樹脂の表面に浮き出るガラス繊維が少なくなって樹脂内に十分取り込められ、ガラス繊維粉末の飛散が防止できる。
従って、ロータ自体が振動しても、軸受内とか整流子セグメント面に付着しなくなって、整流性と、負荷変動が防止できる。
なお、印刷配線板の切断面を樹脂で覆うと、整流不具合が１／５程度まで減少できた。また、この種の振動モータは定格回転数が１２０００ｒｐｍ程度であるが、樹脂のガラス短繊維の含有量が２０％を越えると、負荷の変動、すなわち回転数変動が２０００ｒｐｍ程度に増加し、１５％程度ならこの変動量が１３００ｒｐｍに収まった。ガラス短繊維が少ないのが理想的であるが、今度は耐熱と曲げ強度が不足するので、最低で５％程度は必要である。
【産業上の利用可能性】
【００１０】
この発明は、その技術的思想、特徴から逸脱することなく、他のいろいろな実施の形態をとることができる。そのため、前述の実施の形態は単なる例示に過ぎず限定的に解釈してはならない。この発明の技術的範囲は特許請求の範囲によって示すものであって、明細書本文には拘束されない。
【図面の簡単な説明】
【００１１】
【図１】この発明の軸方向空隙型コアレス振動モータの断面図である。（実施例１）
【図２】同モータのロータ部分の平面図である。
【符号の説明】
【００１２】
１  印刷配線板
２  空心電機子コイル
３  偏心ウエイト
４  含油軸受
５  樹脂
６  ブラケット
７  軸
Ｍ  軸方向空隙型マグネット
８  ブラシベース
９  ブラシ
１０  ケース
【図１】
2006333560.tif 000003
【図２】
2006333560.tif 000004